(57)【要約】【課題】エレベータ設備（２０）の複数の操作ユニット（５０から５７）の階関連付けを設定するための方法を提供する。【解決手段】複数の操作ユニット（５０〜５７）が、複数の階（１１、１３、１５，１７）にわたって分散配置される。これらの階（１１、１３、１５、１７）には、送信器ユニット（３５）を有するエレベータケージ（３０）によって移動できる。エレベータケージ（３０）は所定の階（１１、１３、１５、１７）へ動かされる。行き先階（１１、１３、１５、１７）に割り当てられた操作ユニット（５０〜５７）が、起動される。操作ユニット（５０〜５７）が位置する階（１１、１３、１５、１７）を記述している位置データが、送信器ユニット（３５）から、操作ユニット（５０〜５７）および／または中央制御装置（４０）へ通信される。位置データは、操作ユニット（５０〜５７）の記憶装置（６０）および／または中央制御装置（４０）に格納される。【選択図】図１
2007290868.tif 000002
【特許請求の範囲】
【請求項１】
エレベータ設備（２０）の複数の操作ユニット（５０から５７）の階関連付けを設定する方法であって、操作ユニット（５０から５７）が複数の階（１１、１３、１５、１７）にわたって分散して配置されており、階（１１、１３、１５、１７）にはエレベータケージ（３０）によって移動することができ、エレベータケージ（３０）は送信器ユニット（３５）を有し、方法が、
ａ）エレベータケージ（３０）を所定の階（１１、１３、１５、１７）へ移動するステップと、
ｂ）行き先階（１１、１３、１５、１７）に割り当てられた操作ユニット（５０から５７）を起動するステップと、
ｃ）操作ユニット（５０から５７）が位置している階（１１、１３、１５、１７）を記述している位置データを、送信器ユニット（３５）から操作ユニット（５０から５７）および／または中央制御装置（４０）へ通信するステップと、
ｄ）位置データを操作ユニット（５０から５７）の記憶装置（６０）および／または中央制御装置（４０）内に格納するステップと、
を備える、方法。
【請求項２】
エレベータケージ（３０）が、中央制御装置（４０）を介して、自動制御によって階（１１、１３、１５、１７）へ移動されることを特徴とする、請求項１に記載の方法。
【請求項３】
操作ユニット（５０から５７）が、送信器ユニット（３５）から操作ユニット（５０から５７）への起動信号の送信によって起動されることを特徴とする、請求項１または２に記載の方法。
【請求項４】
位置データが、操作ユニット（５０から５７）の記憶装置（６０）および中央制御装置（４０）内に格納されることを特徴とする、請求項１から３のいずれか一項に記載の方法。
【請求項５】
階（１１、１３、１５、１７）のエレベータケージ（３０）へのアクセスを特徴づけるデータが、さらにまた送信されることを特徴とする、請求項１から４のいずれか一項に記載の方法。
【請求項６】
ステップａ）からステップｄ）が、全ての階（１１、１３、１５、１７）について繰り返されることを特徴とする、請求項１から５のいずれか一項に記載の方法。
【請求項７】
ステップａ）からステップｄ）が、エレベータケージ（３０）への各アクセスについて、各階（１１、１３、１５、１７）において繰り返されることを特徴とする、請求項１から６のいずれか一項に記載の方法。
【発明の詳細な説明】
【技術分野】
【０００１】
本発明は、エレベータ設備の複数の操作ユニットの階関連付けを設定する方法であって、操作ユニットが複数の階にわたって配置されており、それらの階まで送信器ユニットを有するエレベータケージが移動することができる方法に関する。
【０００２】
建物にエレベータ設備を取り付けかつ設置する作業範囲において、エレベータケージは、停止位置をそれぞれの階の高さレベルに設定するために、いわゆる学習移動の間、全ての停止位置、すなわち全ての階に動かされる。加えて、各階にわたって分散して設置された操作ユニット（例えば行き先呼出しボタンを備えるパネル）、およびそれらと中央制御装置との通信を設定しかつ構成しなければならない。これに関連して、各階のエレベータ設備アクセス領域において設けられているこれらの操作パネルを、位置、すなわち階に関して画定し、かつ操作ユニットをそれらに関連付ける必要がある。
【背景技術】
【０００３】
この設定は、従来は、複数のスイッチを用いて実施されており、これらのスイッチは、各階および各操作ユニットにおいて、エンジニアがそれぞれの場合において、手動で設定しなければならない。このように手動で構成を行うと、時間と人員の面で経費が高くつく。さらに、この種のスイッチは、高価な構成要素を代表するものである。
【０００４】
操作ユニットは、通常は、呼出し入力用のパネルと表示装置とを含むプリント回路からなる。呼出し入力用のパネルおよび表示装置は、一部、２つの異なるプリント回路に分かれている。この場合、操作ユニットは両方とも設定されなければならない２つのプリント回路からなる。
【発明の開示】
【発明が解決しようとする課題】
【０００５】
したがって、本発明の目的は、操作ユニットの階関連付けをより簡単に設定することができる、エレベータ設備の複数の操作ユニットの階関連付けを設定するための方法を展開することである。
【課題を解決するための手段】
【０００６】
本目的を達成するための本発明によれば、エレベータ設備の複数の操作ユニットの階関連付けを設定する方法において、操作ユニットが複数の階にわたって分散して配置され、かつ、各階にはセンサユニットを有するエレベータケージがその階まで移動することができ、方法が、ａ）エレベータケージを所定の階へ移動するステップと、ｂ）行き先階に割り当てられた操作ユニットを起動するステップと、ｃ）操作ユニットが位置している階を記述している位置データを、送信器ユニットから操作ユニットまたは中央制御装置へ通信するステップと、ｄ）位置データを操作ユニットの記憶装置または中央制御装置に格納するステップと、を備える方法が請求項１に従って提供される。
【０００７】
操作ユニットの階関連付けを比較的単純にかつ迅速に設定することが、本発明の方法により可能である。このように、個々の操作ユニットのスイッチを手動で設定しなくてすむことが可能である。さらにこれにより、スイッチを誤って設定する可能性が低減される。
【０００８】
本発明の意味における「操作ユニット」という言葉によって、パネルには、エレベータ設備への各階のアクセス領域において、エレベータ設備を利用するために使用者が操作可能である、少なくとも１つのスイッチが設けられていることが理解される。この場合、通常の行き先呼出し方向ボタンを備えることが好ましい。
【０００９】
本発明の方法の有利な展開が、請求項２から７において記述されている。
【００１０】
本発明の有利な一展開において、エレベータケージは、中央制御装置を介して自動制御によって階へ動かされる。このようにして、各操作ユニットを関連付けることを目的とし、全ての階への移動を可能にする設定プログラムを提供することができる。あるいはまた、エレベータケージの対応する行き先呼出しスイッチを手動で作動させることによって各階に移動することもできる。
【００１１】
本発明による方法の一展開において、送信器ユニットから操作ユニットへ起動信号を送信することによって操作ユニットを起動させることが、提案される。あるいは、しかし、この起動プロセスはまた、操作ユニットを手動で作動させることにより行うこともできる。
【００１２】
有利なことに、位置データが、さらに中央制御装置に格納される。さらに、位置データに加えて、エレベータケージへのアクセスを特徴づけているデータの送信もまた提供することができる。これは、エレベータケージが複数のケージドアを有するエレベータ設備に適用される。各ケージドアは、このようなアクセスを形成する。
【００１３】
単純な方法で全ての階の全ての操作ユニットの階関連付けの設定を行うために、上述のステップａ）からステップｄ）が、それぞれの建物にある全ての階で繰り返される。同様に、上述したステップが、エレベータケージへの各アクセスについて、各階において繰り返される。
【００１４】
本発明を、図面を参照にして、以下において更に詳細に説明する。
【発明を実施するための最良の形態】
【００１５】
図１は、エレベータ設備２０を有する建物１０を示す概略図である。エレベータ設備２０は、２つのケージドア３３、３４を有する垂直に移動可能なエレベータケージ３０と、複数の行き先呼出しスイッチを有する操作パネル３２とを備える。中央制御装置４０とデータ交換通信するように配置された送信器ユニット３５が、エレベータケージ３０に設けられる。中央制御装置４０は、エレベータ設備２０を制御する働きをする。
【００１６】
建物１０は、第１の階１１、第２の階１３、第３の階１５および第４の階１７を備える。それぞれの左側アクセスおよび右側アクセスは、エレベータ設備２０に対して、アクセスドア１２ａ、１２ｂ、１４ａ、１４ｂ、１６ａ、１６ｂ、１８ａ、１８ｂによってそれぞれ閉じることができ、これらの階１１、１３、１５および１７の各階に配置される。エレベータケージ３０には、これらのアクセスを介して２つの側から出入りすることができる。各アクセスの領域に配置されているのは操作ユニット５０から５７であり、これを介して、使用者がエレベータケージ３０を呼び出すことができ、かつ／または行き先呼出しを入力することができる。各操作ユニット５０から５７は、記憶装置６０と、複数の行き先呼出しボタンとを備える。さらに、各操作ユニット５０から５７は、中央制御装置４０とデータ通信を行うように配置される。
【００１７】
本システムに基づき、操作ユニット５０から５７の階関連付けを設定する方法の２つの変形例を、以下において説明する。
【００１８】
本発明の方法の第１の変形例において、中央制御装置４０は、最初は設定モードで配置される。まず、エレベータケージ３０が第４の階１７へ移動し、ケージドア３４が開く。エンジニアの一人が、エレベータケージ３０に入り、操作パネル３２の行き先呼出しボタンのうちの１つを作動させ、エレベータケージ３０を第３の階１５へ移動させる。エレベータケージ３０が第３の階１５に到着した後、ケージドア３４およびアクセスドア１６ｂが開く。エンジニアが、エレベータケージ３０を出て、操作ユニット５４のボタンを作動させ、操作ユニット５４を起動させる。送信器ユニット３５と操作ユニット５４との間でデータ無線接続を確立した後、送信器ユニット３５は、操作ユニット５４および／または中央制御装置４０に位置データを通信する。位置データは、送信器ユニット３５および／または中央制御装置４０においてファイルされる、または、ユニット３５、４０によって確認される。操作ユニット５４に通信された位置データは、建物１０の階数およびアクセスの行き先またはアクセスドア１６ｂの詳細を含む。位置データは、好ましくは操作ユニット５４の記憶装置６０に格納される。このようにして、エレベータ設備２０の後の操作において、中央制御装置４０は、操作ユニット５４（この階にかつこのアクセスの領域に、運ばれるエンジニアが位置している）を介して行き先呼出が出されると、それを認識することができる。
【００１９】
続いて、エンジニアがエレベータケージ３０に入り、ケージドア３４を閉じるための操作パネル３２の対応するボタンを作動させる。エンジニアは、その後、操作パネル３２のさらなるボタンを作動させ、左側ケージドア３３およびアクセスドア１６ａを開く。エレベータケージ３０から階１５の左側領域に出た後、エンジニアは、操作ユニット５４を作動させ、これを起動させる。送信器ユニット３５と操作ユニット５５との間でデータ接続を確立した後、送信器ユニット３５は、上述の手順に従って、操作ユニット５５に位置データを通信する。位置データは、操作ユニット５５の記憶装置６０および／または中央制御装置４０内にファイルされる。
【００２０】
エンジニアは、エレベータケージ３０に再び入った後、操作パネル３２を作動させ、第２の階１３にエレベータケージ３０を移動させる。上述の方法のステップは、この階１３ならびに全ての関連する残りの階についても同様に実施され、設定方法の終了時には、各操作ユニット５０から５７は、それぞれの階１１、１３、１５、１７に割り当てられる。このようにして、これ以降、中央制御装置４０は、操作ユニット５０から５７から対応する行き先が呼出されるエレベータ設備２０の通常操作を明確に認識できる。
【００２１】
本発明の方法の第２の変形例は、設定方法が主に自動的に実施される点において、本質的に第１の変形例と異なる。この方法においては、エンジニアの一人が、各階１１、１３、１５、１７間の位置データの通信とエレベータケージ３０の移動とを可能にするために、「設定のための移動」の間、各操作ユニット５０から５７とエレベータケージ３０の操作パネル３２とを作動させる必要がない。
【００２２】
この第２の変形例においては、送信器ユニット３５は、ＲＦＩＤ送信部品を備え、これが所定の範囲内で所定の期間にわたり起動信号を送信する。この例の場合は、範囲は約１〜２メートルである。さらに、全ての操作ユニット５０から５７は、それぞれ、ＲＦＩＤ受信部品を備える。
【００２３】
ＲＦＩＤチップは、表示装置／操作ユニット上のプリント回路であってよい。これは、ＲＦＩＤチップはわずか数セントであるが、受信装置はそれよりはるかに高価であるからである。ＲＦＩＤチップの送信されたＩＤは、プリント回路アドレスと一致しなければならない。これにより、ＲＦＩＤチップの検出の後、表示装置／操作ユニットがフィールドバスを介して選択的に反応し、構成されることができる。
【００２４】
かなり高価である送信器は、ケージに取り付け、必要であれば、学習移動の後、再び取りはずすことができる。
【００２５】
したがって、第１のステップにおいては、エレベータケージ３０は、最上階１７から始めて、自動的に第３の階１５へ移動し、対応するケージドア３４およびアクセスドア１６ｂが自動的に開く。送信器ユニット３５が操作ユニット５４の所定の範囲内に位置するとすぐに、操作ユニット５４は、ＲＦＩＤ送信部品によって送信された起動信号を受信し、これにより、操作ユニット５４が起動する。続いて操作ユニット５４は、送信器ユニット３５に確認信号を送信する。次のステップにおいて、送信器ユニット３５が、第１の変形例の場合と同様に、位置データを操作ユニット５４および／または中央制御装置４０に通信する。位置データは、次いで、操作ユニット５４の記憶装置６０および／または中央制御装置４０内にファイルされる。続いて、アクセスドア１６ｂおよびケージドア３４が自動的に閉じ、階１５の反対側のアクセスドア１６ａおよびケージドア３３が自動的に開く。送信器ユニット３５のＲＦＩＤ送信部品によって送信された起動信号は、操作ユニット５５のＲＦＩＤ受信部品によって受信される。その後、送信器ユニット３５への確認信号の通信と、操作ユニット５５および／または中央制御装置４０への位置データの通信が再度行われる。位置データは、操作ユニット５５の記憶装置６０および／または中央制御装置４０内にファイルされる。アクセスドア１６ａおよびケージドア３３は続いて自動的に閉じられ、エレベータケージ３０は階１３に移動する。
【００２６】
その後、全ての上述した方法ステップが、右側および左側アクセスについて、全ての階１１、１３、１５、１７で繰り返される。このようにして、全ての階１１、１３、１５、１７の全ての操作ユニット５０から５７に、全自動設定方法によって、階関連付けを設定するための適切なデータを備えることができる。
【００２７】
本発明の方法の２つの上述の変形例は、操作ユニット５０から５７の階関連付けを設定するために、操作ユニット５０から５７の従来から存在するスイッチを手動で作動させる必要が全くないという事実において、特に区別される。この設定は、本発明の方法によって、ＲＦＩＤ技術によって好ましくはワイヤなしでデータ送信を行うことにより実施することができる。この場合、方法の実施形態の第２の変形例は、ＲＦＩＤ受信部品が、一時的にのみ操作ユニット５０から５７に取り付けられており、設定方法が実施された後に取り外すことができ、例えば、他の建物においてさらなるエレベータ設備の構成のために利用することができる、という事実によって特に区別される。
【００２８】
そのような場合においては、設置者は、学習移動の後、再び手作業により表示装置／操作ユニットから送信器を取りはずさなければならない。
【図面の簡単な説明】
【００２９】
【図１】エレベータ設備を有する建物の概略図である。
【符号の説明】
【００３０】
１０  建物
１１  第１の階
１２ａ、１２ｂ、１４ａ、１４ｂ、１６ａ、１６ｂ、１８ａ、１８ｂ  アクセスドア
１３  第２の階
１５  第３の階
１７  第４の階
２０  エレベータ設備
３０  エレベータケージ
３２  操作パネル
３３、３４  ケージドア
３５  送信器ユニット
４０  中央制御装置
５０、５１、５２、５３、５４、５５、５６、５７  操作ユニット
６０  記憶装置
【図１】
2007290868.tif 000003
【外国語明細書】
2007290868.tif 000004
2007290868.tif 000005
2007290868.tif 000006
2007290868.tif 000007
2007290868.tif 000008
2007290868.tif 000009
2007290868.tif 000010
2007290868.tif 000011
2007290868.tif 000012
2007290868.tif 000013
2007290868.tif 000014